(57)【要約】【課題】ＣＴ画像と対応する心電波形の画像とを容易に関連付けることが可能なＸ線ＣＴ装置を提供する。【解決手段】実施形態のＸ線ＣＴ装置は、被検体に対するＸ線スキャンを行い、検出データを取得する。Ｘ線ＣＴ装置は、設定部と、特定部と、再構成処理部と、制御部とを有する。設定部は、Ｘ線スキャンと並行して得られた被検体の心電波形データに対して、所望の範囲を設定する。特定部は、検出データのうち、所望の範囲に含まれるタイミングで取得された検出データを特定する。再構成処理部は、特定された検出データに基づく投影データを再構成処理し、ＣＴ画像データを作成する。制御部は、再構成処理を開始させる信号に基づいて、所望の範囲が設定された心電波形データに基づく心電波形画像データと特定された検出データに基づくＣＴ画像データとを関連付けて記憶させる。【選択図】図４Ｂ
2014050523.tif 000002
【特許請求の範囲】
【請求項１】
被検体に対するＸ線スキャンを行い、検出データを取得するＸ線ＣＴ装置であって、
前記Ｘ線スキャンと並行して得られた前記被検体の心電波形データに対して、所望の範囲を設定する設定部と、
前記検出データのうち、前記所望の範囲に含まれるタイミングで取得された検出データを特定する特定部と、
特定された前記検出データに基づく投影データを再構成処理し、ＣＴ画像データを作成する再構成処理部と、
前記再構成処理を開始させる信号に基づいて、前記所望の範囲が設定された前記心電波形データに基づく心電波形画像データと特定された前記検出データに基づく前記ＣＴ画像データとを関連付けて記憶させる制御部と、
を有することを特徴とするＸ線ＣＴ装置。
【請求項２】
前記制御部は、前記ＣＴ画像データに対し、前記心電波形画像データとして、前記所望の範囲が設定された前記心電波形データ全体を示す画像データを関連付けて記憶させることを特徴とする請求項１記載のＸ線ＣＴ装置。
【請求項３】
前記制御部は、前記所望の範囲が複数設定された場合、前記所望の範囲それぞれに含まれるタイミングで取得された前記検出データに基づく前記ＣＴ画像データそれぞれに対し、前記心電波形画像データとして、当該ＣＴ画像データの元になった前記検出データが取得されたタイミングに相当する前記所望の範囲を示す前記心電波形データのみを関連付けて記憶させることを特徴とする請求項１記載のＸ線ＣＴ装置。
【請求項４】
記憶された前記心電波形画像データに基づく心電波形画像及び記憶された前記ＣＴ画像データに基づくＣＴ画像を表示部に併せて表示させる表示制御部を有することを特徴とする請求項１〜３のいずれか一つに記載のＸ線ＣＴ装置。
【請求項５】
表示された前記心電波形画像または前記ＣＴ画像が選択された場合、前記表示制御部は、選択された画像を拡大表示させることを特徴とする請求項４記載のＸ線ＣＴ装置。
【請求項６】
被検体に対するＸ線スキャンと並行して得られた前記被検体の心電波形データに対して、所望の範囲を設定する設定部と、
前記Ｘ線スキャンにより取得された検出データのうち、前記所望の範囲に含まれるタイミングで取得された検出データを特定する特定部と、
特定された前記検出データに基づく投影データを再構成処理し、ＣＴ画像データを作成する再構成処理部と、
前記再構成処理を開始させる信号に基づいて、前記所望の範囲が設定された前記心電波形データに基づく心電波形画像データと特定された前記検出データに基づく前記ＣＴ画像データとを関連付けて記憶させる制御部と、
表示部と、
記憶された前記心電波形画像データに基づく心電波形画像及び記憶された前記ＣＴ画像データに基づくＣＴ画像を表示部に併せて表示させる表示制御部と、
を有することを特徴とする画像表示装置。
【発明の詳細な説明】
【技術分野】
【０００１】
本発明の実施形態は、Ｘ線ＣＴ装置及び画像表示装置に関する。
【背景技術】
【０００２】
Ｘ線ＣＴ（Ｃｏｍｐｕｔｅｄ  Ｔｏｍｏｇｒａｐｈｙ）装置は、Ｘ線を利用して被検体をスキャンし、収集されたデータをコンピュータにより処理することで、被検体の内部を画像化する装置である。
【０００３】
具体的には、Ｘ線ＣＴ装置は、被検体に対してＸ線を異なる方向から複数回曝射し、被検体を透過したＸ線をＸ線検出器にて検出して複数の検出データを収集する。収集された検出データはデータ収集部によりＡ／Ｄ変換された後、コンソール装置に送信される。コンソール装置は、当該検出データに前処理等を施し投影データを作成する。そして、コンソール装置は、投影データに基づく再構成処理を行い、ＣＴ画像データを作成する。
【０００４】
ところで、心臓等の動きがある対象をＸ線ＣＴ装置でＸ線スキャンする場合、動きの影響により得られるＣＴ画像がぶれる可能性（モーションアーチファクト等が生じる可能性）がある。この動きの影響を低減するために、たとえば、心電同期再構成という手法がある。心電同期再構成は、心臓等が動いている状態でＸ線スキャンを行い、且つＸ線スキャンと並行して心電計により心電波形データを取得する。そして、取得された検出データのうち、心電波形データにおいて動きの影響が少ないタイミングで取得された検出データを特定し、その検出データのみを再構成処理するという方法がある。Ｘ線ＣＴ装置は、このように、動きの影響が少ないタイミングで取得された検出データのみを再構成処理することによりＣＴ画像データを作成する。すなわち、このＣＴ画像データに基づくＣＴ画像は、モーションアーチファクト等が低減された画像となる。
【先行技術文献】
【特許文献】
【０００５】
【特許文献１】特開２００６−１５８４４４号公報
【発明の概要】
【発明が解決しようとする課題】
【０００６】
ここで、心電同期再構成により得られた検出データに基づくＣＴ画像を観察する際、当該ＣＴ画像に対応する心電波形の画像を併せて確認したい場合がある。このためには、ＣＴ画像と心電波形の画像とが関連付けられている必要がある。
【０００７】
実施形態は、前述の問題点を解決するためになされたものであり、ＣＴ画像（ＣＴ画像データ）と対応する心電波形の画像（心電波形画像データ）とを容易に関連付けることが可能なＸ線ＣＴ装置及び画像表示装置を提供することを目的とする。
【課題を解決するための手段】
【０００８】
実施形態のＸ線ＣＴ装置は、被検体に対するＸ線スキャンを行い、検出データを取得する。Ｘ線ＣＴ装置は、設定部と、特定部と、再構成処理部と、制御部とを有する。設定部は、Ｘ線スキャンと並行して得られた被検体の心電波形データに対して、所望の範囲を設定する。特定部は、検出データのうち、所望の範囲に含まれるタイミングで取得された検出データを特定する。再構成処理部は、特定された検出データに基づく投影データを再構成処理し、ＣＴ画像データを作成する。制御部は、再構成処理を開始させる信号に基づいて、所望の範囲が設定された心電波形データに基づく心電波形画像データと特定された検出データに基づくＣＴ画像データとを関連付けて記憶させる。
【図面の簡単な説明】
【０００９】
【図１】実施形態に係るＸ線ＣＴ装置のブロック図である。
【図２】実施形態に係る設定部の説明を補足する図である。
【図３】実施形態に係る特定部の説明を補足する図である。
【図４Ａ】実施形態に係る表示部の表示画面を示す図である。
【図４Ｂ】実施形態に係る表示部の表示画面を示す図である。
【図５】実施形態に係るＸ線ＣＴ装置の動作の概要を示すフローチャートである。
【図６】変形例１に係る心電波形を示す図である。
【図７】変形例１に係る表示部の表示画面を示す図である。
【発明を実施するための形態】
【００１０】
（実施形態）
図１から図５を参照して、実施形態に係るＸ線ＣＴ装置１の構成について説明する。
【００１１】
＜装置構成＞
図１に示すように、Ｘ線ＣＴ装置１は、架台装置１０と、寝台装置３０と、コンソール装置４０とを含んで構成されている。また、Ｘ線ＣＴ装置１とは別に心電計５０が設けられている。
【００１２】
［架台装置］
架台装置１０は、被検体Ｅに対してＸ線を曝射し、被検体Ｅを透過した当該Ｘ線の検出データを収集する装置である。架台装置１０は、Ｘ線発生部１１と、Ｘ線検出部１２と、回転体１３と、高電圧発生部１４と、架台駆動部１５と、Ｘ線絞り部１６と、絞り駆動部１７と、データ収集部１８とを有する。
【００１３】
Ｘ線発生部１１は、Ｘ線を発生させるＸ線管球（たとえば、円錐状や角錐状のビームを発生する真空管。図示なし）を含んで構成されている。発生したＸ線は被検体Ｅに対して曝射される。すなわち、Ｘ線発生部１１は、被検体Ｅに対してＸ線を曝射する。
【００１４】
Ｘ線検出部１２は、複数のＸ線検出素子（図示なし）を含んで構成されている。Ｘ線検出部１２は、被検体Ｅを透過したＸ線の強度分布を示すＸ線強度分布データ（以下、「検出データ」という場合がある）をＸ線検出素子で検出し、その検出データを電流信号として出力する。すなわち、Ｘ線検出部１２は、被検体Ｅを透過したＸ線を検出し、検出データを出力する。Ｘ線検出部１２は、たとえば、検出素子が互いに直交する２方向（スライス方向とチャンネル方向）にそれぞれ複数配置された２次元のＸ線検出器（面検出器）が用いられる。複数のＸ線検出素子は、たとえば、スライス方向に沿って３２０列設けられている。このように多列のＸ線検出器を用いることにより、１回転のスキャンでスライス方向に幅を有する３次元の撮影領域を撮影することができる（ボリュームスキャン）。なお、スライス方向は被検体Ｅの体軸方向に相当し、チャンネル方向はＸ線発生部１１の回転方向に相当する。
【００１５】
回転体１３は、Ｘ線発生部１１とＸ線検出部１２とを被検体Ｅを挟んで対向するよう支持する部材である。回転体１３は、スライス方向に貫通した開口部１３ａを有する。架台装置１０内において、回転体１３は、被検体Ｅを中心とした円軌道で回転するよう配置されている。
【００１６】
高電圧発生部１４は、Ｘ線発生部１１に対して高電圧を印加する。Ｘ線発生部１１は、当該高電圧に基づいてＸ線を発生させる。架台駆動部１５は、回転体１３を回転駆動させる。Ｘ線絞り部１６は、所定幅のスリット（開口）を有し、スリットの幅を変えることで、Ｘ線発生部１１から曝射されたＸ線のファン角（チャンネル方向の広がり角）とＸ線のコーン角（スライス方向の広がり角）とを調整する。絞り駆動部１７は、Ｘ線発生部１１で発生したＸ線が所定の形状となるようＸ線絞り部１６を駆動させる。
【００１７】
データ収集部１８（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。また、データ収集部１８は、収集した検出データ（電流信号）を電圧信号に変換し、この電圧信号を周期的に積分して増幅し、デジタル信号に変換する。そして、データ収集部１８は、デジタル信号に変換された検出データをコンソール装置４０（画像処理部４４（後述））に送信する。
【００１８】
［寝台装置］
寝台装置３０は、撮影対象の被検体Ｅを載置・移動させる装置である。寝台装置３０は、寝台３１と寝台駆動部３２とを備えている。寝台３１は、被検体Ｅを載置するための寝台天板３３と、寝台天板３３を支持する基台３４とを備えている。寝台天板３３は、寝台駆動部３２によって被検体Ｅの体軸方向及び体軸方向に直交する方向に移動することが可能となっている。すなわち、寝台駆動部３２は、被検体Ｅが載置された寝台天板３３を、回転体１３の開口部１３ａに対して挿抜させることができる。基台３４は、寝台駆動部３２によって寝台天板３３を上下方向（被検体Ｅの体軸方向と直交する方向）に移動させることが可能となっている。
【００１９】
［コンソール装置］
コンソール装置４０は、Ｘ線ＣＴ装置１に対する操作入力に用いられる。また、コンソール装置４０は、架台装置１０によって収集された検出データから被検体Ｅの内部形態を表すＣＴ画像データ（断層画像データやボリュームデータ）を再構成する機能等を有している。コンソール装置４０は、スキャン制御部４１と、設定部４２と、特定部４３と、画像処理部４４と、制御部４５と、表示制御部４６と、入力部４７と、記憶部４８と、表示部４９とを含んで構成されている。
【００２０】
スキャン制御部４１は、Ｘ線スキャンに関する各種動作を制御する。たとえば、スキャン制御部４１は、回転体１３を回転駆動させるよう架台駆動部１５を制御する。スキャン制御部４１は、Ｘ線絞り部１６を動作させるよう絞り駆動部１７を制御する。スキャン制御部４１は、寝台３１を移動させるよう寝台駆動部３２を制御する。
【００２１】
なお、本実施形態では、Ｘ線ＣＴ装置１によるＸ線スキャンと並行して心電計５０により被検体Ｅの心電波形データが取得される。つまり、Ｘ線スキャンの時間軸と心電波形データの時間軸は同期されている。Ｘ線スキャンにより取得された検出データと心電波形データとは同一時間軸で関連付けられ、記憶部４８等に記憶される。
【００２２】
設定部４２は、Ｘ線スキャンと並行して得られた被検体Ｅの心電波形データに対して、所望の範囲Ｒを設定する。
【００２３】
心電波形データは、心臓の電気的な活動の様子を示すデータである。図２は、被検体Ｅの心電波形データをグラフＧとして示した模式図である。図２の縦軸は電圧、横軸は時間（ｔ）を示す。グラフＧを参照することで、術者は、被検体Ｅの心臓の動きに伴い、Ｒ波ｒｋ（ｋ＝１〜ｎ）が一定間隔で検出されていることを確認できる（図２では、Ｒ波ｒ１〜ｒ３のみを示している）。また、術者は、Ｒ波ｒ２とＲ波ｒ３との間に不整脈を示す波Ａｒが検出されていることを確認できる。
【００２４】
所望の範囲Ｒは、心電波形データの時相（以下、「タイミング」という場合がある）に対応する範囲であり、ＣＴ画像（ＣＴ画像データ）の作成に用いる検出データを特定するための範囲である。所望の範囲Ｒは、たとえば、心臓等の動きの影響が少ないタイミングを示す範囲である。本実施形態におけるＸ線ＣＴ装置１は、所望の範囲Ｒに含まれるタイミングで取得された検出データに基づいて動きの影響が少ないＣＴ画像を作成することができる（詳細は後述）。
【００２５】
所望の範囲Ｒの設定は、手動で行うことができる。この場合、表示制御部４６は、表示部４９に図２に示す心電波形データを示すグラフＧを表示させる。術者は、入力部４７等を介してグラフＧにおける任意の領域（所望の範囲Ｒに対応する領域）を指定する。図２では、不整脈の影響が無い領域（Ｒ波ｒ１とＲ波ｒ２の間の一部領域）を指定した例を示す。設定部４２は、心電波形データに対して、入力部４７等により指定された任意の領域を所望の範囲Ｒとして設定する。入力部４７による任意の領域の指定は、たとえば、マーカ等により、直接、グラフＧに対して書き込むことが可能である。或いは、予めＲ波間を複数の領域（たとえば、１〜１００）に分割しておき、その領域に対応する数値（たとえば、５０〜９０）を入力部４７によって入力することで任意の領域を指定してもよい。
【００２６】
所望の範囲Ｒの設定は、自動で行うこともできる。たとえば、心臓の動きに異常がある場合、Ｒ波間の間隔が変動する場合がある。心臓の動きに異常がある状態で得られる検出データに基づくＣＴ画像は、モーションアーチファクトの影響が大きくなる可能性が高い。従って、Ｘ線ＣＴ装置１に、予め一般的なＲ波間の間隔Ｓを年齢別、体型別等に分類してエキスパートプランの一部として登録しておく。設定部４２は、登録された間隔Ｓと、取得された心電波形データにおける隣り合うＲ波の間隔Ｓ´（Ｒ波ｒｋ−１とＲ波ｒｋとの間隔）とを比較する。間隔Ｓと間隔Ｓ´とがほぼ同等の場合、心臓の動きは正常である可能性が高い。この場合、設定部４２は、間隔Ｓ´における領域を所望の範囲Ｒとして設定する。なお、エキスパートプランは、Ｘ線スキャンを行うためのスキャン条件等、Ｘ線ＣＴ装置１における一連の動作における各種条件を含む検査計画である。Ｘ線ＣＴ装置１は、予め設定されたエキスパートプランに基づいてＸ線スキャンや再構成処理を実行し、ＣＴ画像を作成する。
【００２７】
間隔Ｓ´における所望の範囲Ｒの割合は、任意に設定することができる。たとえば、エキスパートプランに所望の範囲Ｒとして設定すべき範囲を予め記憶しておく。そして、設定部４２は、間隔Ｓと間隔Ｓ´とが同等であると判断した場合、心電波形データに対して記憶された設定すべき範囲を適用することで所望の範囲Ｒを設定してもよい。たとえば、設定すべき範囲として「Ｒ波ｒｋ−１〜Ｒ波ｒｋ間のうち、Ｒ波ｒｋから７５％に対応する領域」がエキスパートプランに記憶されているとする。この場合、設定部４２は、間隔Ｓ´における領域のうち、Ｒ波ｒｋから７５％に対応する領域を所望の範囲Ｒとして設定する。
【００２８】
なお、設定部４２は、所望の範囲Ｒの設定と同様の手法により、不整脈の影響がある領域に対して除外範囲Ｒ´を設定してもよい（図２参照）。除外範囲Ｒ´が設定された心電波形画像を観察することにより、術者は、除外範囲Ｒ´に含まれるタイミングで取得された検出データがＣＴ画像データの作成に使用されていないことを確認できる（詳細は後述）。なお、所望の範囲Ｒと除外範囲Ｒ´とは、心電波形画像Ｈ（後述）として表示した際に識別可能となっていることが望ましい。この場合、設定部４２は、所望の範囲Ｒを示すマーカ及び除外範囲Ｒ´を示すマーカの形態や色が異なるよう設定を行う。
【００２９】
特定部４３は、Ｘ線スキャンにより得られた検出データのうち、所望の範囲Ｒに含まれるタイミングで取得された検出データを特定する。
【００３０】
図３は、心電波形データと検出データとの対応関係を示す模式図である（上段が心電波形データ、下段が検出データを示す。横軸は時間（ｔ）を示す）。上述の通り、Ｘ線スキャンの時間軸と心電波形データの時間軸は同期されている。従って、心電波形データにおいて所望の範囲Ｒが設定された場合、特定部４３は、所望の範囲Ｒに含まれる時刻（タイミング）で取得された検出データＤを特定することができる。
【００３１】
画像処理部４４は、架台装置１０（データ収集部１８）から送信された検出データに対して各種処理を実行する。本実施形態において、画像処理部４４は、特定部４３により特定された検出データＤに対して各種処理を実行する。画像処理部４４は、前処理部４４ａと、再構成処理部４４ｂと、レンダリング処理部４４ｃとを含んで構成されている。
【００３２】
前処理部４４ａは、架台装置１０（Ｘ線検出部１２）で検出された検出データに対して対数変換処理、オフセット補正、感度補正、ビームハードニング補正等の前処理を行い、投影データを作成する。
【００３３】
再構成処理部４４ｂは、前処理部４４ａで作成された投影データに基づいて、ＣＴ画像データ（２次元の断層画像データや３次元のボリュームデータ）を作成する。断層画像データの再構成には、たとえば、２次元フーリエ変換法、コンボリューション・バックプロジェクション法等、任意の方法を採用することができる。ボリュームデータは、再構成された複数の断層画像データを補間処理することにより作成される。ボリュームデータの再構成には、たとえば、コーンビーム再構成法、マルチスライス再構成法、拡大再構成法等、任意の方法を採用することができる。上述のように多列のＸ線検出器を用いたボリュームスキャンにより、広範囲のボリュームデータを再構成することができる。
【００３４】
レンダリング処理部４４ｃは、再構成処理部４４ｂで作成されたボリュームデータに対するレンダリング処理を行う。たとえば、レンダリング処理部４４ｃは、再構成処理部４４ｂで作成されたボリュームデータを任意の方向にレンダリングすることによりＭＰＲ表示する。すなわち、レンダリング処理部４４ｃは、ＭＰＲ画像（ＭＰＲ画像データ）を作成する。
【００３５】
制御部４５は、架台装置１０、寝台装置３０およびコンソール装置４０の動作を制御することによって、Ｘ線ＣＴ装置１の全体制御を行う。たとえば、制御部４５は、画像処理部４４を制御することで、検出データに対する各種処理（前処理、再構成処理、ＭＰＲ処理等）を行わせる。或いは、制御部４５は、画像表示に関する各種制御を行う。たとえば、制御部４５は、記憶部４８に記憶された画像データ等に基づき、ＣＴ画像を表示部４９に表示させる。
【００３６】
また、本実施形態における制御部４５は、再構成処理を開始させる信号に基づいて、所望の範囲Ｒが指定された心電波形データに基づく心電波形画像データと特定された検出データＤに基づくＣＴ画像データとを関連付けて、記憶部４８等に記憶させる。
【００３７】
再構成処理を開始させる信号とは、たとえば、入力部４７等を介して術者が再構成処理を開始する指示入力を行った場合、当該指示入力に基づいて制御部４５が再構成処理部４４ｂに再構成処理を実行させる指示信号である。或いは、エキスパートプランに基づいて再構成処理を自動的に開始する場合、再構成処理を開始させる信号は、制御部４５がエキスパートプランに基づいて再構成処理部４４ｂに再構成処理を実行させる指示信号である。
【００３８】
制御部４５は、再構成処理を開始させる信号に基づいて、設定部４２で所望の範囲Ｒが設定された心電波形データを心電波形画像データとして取得する。具体的には、制御部４５は、所望の範囲Ｒが設定された心電波形データを画像としてキャプチャし、心電波形画像データとして取得する。すなわち、本実施形態における心電波形画像データとは、心電波形データと所望の範囲Ｒを示す情報とが含まれる一体のイメージデータである。なお、心電波形画像データには、除外範囲Ｒ´を示す情報が含まれていてもよい。
【００３９】
制御部４５は取得した心電波形画像データと、特定部４３で特定された検出データに基づき、画像処理部４４（前処理部４４ａ及び再構成処理部４４ｂ）で作成されたＣＴ画像データとを関連付けて記憶部４８に記憶させる。なお、ＣＴ画像データは、再構成処理を開始させる信号に基づいて作成される。本実施形態では、複数のＣＴ画像データに対して、所望の範囲Ｒが設定された心電波形データ全体を示す一の画像データを心電波形画像データとして記憶させる。
【００４０】
このように、制御部４５は、再構成処理を開始させる信号（再構成処理要求）をトリガとして、心電波形画像データとその心電波形に基づいて特定された検出データによるＣＴ画像データとの関連付けを自動的に実行する。従って、術者が都度、関連付けの指示を行う必要がないため、Ｘ線ＣＴ装置１における操作が簡便となる。なお、心電波形画像データ及びＣＴ画像データは被検体の患者ＩＤとも関連付けられている。よって、患者ＩＤを入力することにより、Ｘ線ＣＴ装置１（制御部４５）は、対応する心電波形画像データ及びＣＴ画像データを読み出すことができる。
【００４１】
表示制御部４６は、画像表示に関する各種制御を行う。たとえば、再構成処理部４４ｂで作成されたＣＴ画像データに基づくＣＴ画像を表示部４９に表示させる制御を行う。また、表示制御部４６は、表示部４９の一画面（表示画面）を一ページとし、且つ一ページに複数の表示エリアを設けて、各表示エリアに異なった情報や画像を表示させることができる。以下に説明するビューページＶＰは、その一例である。
【００４２】
ビューページＶＰは、再構成処理されたＣＴ画像データに基づくＣＴ画像を観察・処理する画面である。ビューページＶＰでは、一のボリュームデータを構成する複数の断層画像データに基づくＣＴ画像を並列表示させることができる。また、表示されたＣＴ画像上で任意の断面を指定することも可能である。この場合、レンダリング処理部４４ｃは、指定された断面に対応するＭＰＲ画像を作成する。表示制御部４６は、作成されたＭＰＲ画像を表示部４９（ビューページＶＰ）に表示させる。
【００４３】
本実施形態において、表示制御部４６は、記憶された心電波形画像データに基づく心電波形画像及び記憶されたＣＴ画像データに基づくＣＴ画像を表示部４９に併せて表示させる。たとえば、図４Ａ及び図４Ｂは、ビューページＶＰの一例を示す画面である。ビューページＶＰは、表示エリアＰ１及びＰ２を有する。なお、図４Ａ及び図４Ｂに示すビューページＶＰでは、本実施形態を説明するために必要な一部の表示エリアのみを示している。
【００４４】
たとえば、被検体Ｅの患者ＩＤが入力されると、制御部４５は、当該患者ＩＤに対応する所望の範囲Ｒが設定された心電波形画像データ及び特定された検出データによるＣＴ画像データを読み出す。表示制御部４６は、ビューページＶＰの表示エリアＰ１に読みだされたＣＴ画像データに基づくＣＴ画像（断層画像）Ｉｋ（ｋ＝１〜ｎ）及び読みだされた心電波形画像データに基づく心電波形画像Ｈを並べて表示させる（図４Ａ参照）。このように、一画面でＣＴ画像Ｉｋと関連する心電波形画像Ｈとを表示させることにより、術者は表示されているＣＴ画像がどのような心電波形に基づいて作成されたものかを容易に理解できる。たとえば、図４Ａにおける心電波形画像Ｈを見た術者は、所定の範囲Ｒの表示により、ＣＴ画像ＩｋがＲ波ｒ１とＲ波ｒ２の間におけるタイミングで取得された検出データに基づいて作成されたものであることを確認できる。一方、図４Ａにおける心電波形画像Ｈをみた術者は、除外範囲Ｒ´の表示により、ＣＴ画像ＩｋはＲ波ｒ２とＲ波ｒ３との間におけるタイミングで取得された検出データを使用していないことを確認できる。
【００４５】
なお、表示された心電波形画像ＨまたはＣＴ画像Ｉｋが入力部４７等により選択された場合、表示制御部４６は、選択された画像を拡大表示させることも可能である。たとえば、心電波形画像Ｈが選択された場合、表示制御部４６は、ビューページＶＰの表示エリアＰ２に心電波形画像Ｈを拡大表示させることが可能である（図４Ｂ参照）。画像を拡大表示することで、ＣＴ画像に対するＭＰＲ断面の指定等や、心電波形の詳細の確認が容易に可能となる。
【００４６】
入力部４７は、コンソール装置４０に対する各種操作を行う入力デバイスとして用いられる。入力部４７は、たとえばキーボード、マウス、トラックボール、ジョイスティック等により構成される。また、入力部４７として、表示部４９に表示されたＧＵＩ（Ｇｒａｐｈｉｃａｌ  Ｕｓｅｒ  Ｉｎｔｅｒｆａｃｅ）を用いることも可能である。
【００４７】
記憶部４８は、ＲＡＭやＲＯＭ等の半導体記憶装置によって構成される。記憶部４８は、検出データや投影データ、或いは再構成処理後のＣＴ画像データ等を記憶する。また、本実施形態では、記憶部４８は、上述の通り、ＣＴ画像データと心電波形画像データとを関連付けて記憶する。
【００４８】
表示部４９は、ＬＣＤ（Ｌｉｑｕｉｄ Ｃｒｙｓｔａｌ Ｄｉｓｐｌａｙ）やＣＲＴ（Ｃａｔｈｏｄｅ Ｒａｙ Ｔｕｂｅ）ディスプレイ等の任意の表示デバイスによって構成される。たとえば、表示部４９には、再構成処理されたＣＴ画像が表示される。
【００４９】
なお、スキャン制御部４１、設定部４２、特定部４３、画像処理部４４、制御部４５及び表示制御部４６は、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの図示しない処理装置と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）や、又はＨＤＤ（Ｈａｒｄ  Ｄｉｓｃ  Ｄｒｉｖｅ）などの図示しない記憶装置とによって構成されている。記憶装置には、各部の機能を実行するための制御プログラムが記憶されている。ＣＰＵなどの処理装置が、記憶装置に記憶されている各プログラムを実行することで各部の機能を実行する。
【００５０】
［心電計］
心電計５０は、被検体Ｅに接続され、被検体Ｅの心拍により生じる微弱な電気信号を検出する。心電計５０は、検出された電気信号の時間変化を心電波形データとして出力する。
【００５１】
＜動作＞
次に、図５を参照して、本実施形態に係るＸ線ＣＴ装置１の動作について説明する。ここでは、Ｘ線ＣＴ装置１が、あるエキスパートプランに基づく心電同期再構成処理を実行する例について述べる。
【００５２】
Ｘ線スキャンを開始するに当たり、術者により被検体Ｅに適したエキスパートプランが選択される（Ｓ１０）。エキスパートプランには、スキャン条件や再構成処理条件と併せて、心電波形データにおける所望の範囲Ｒを設定する条件が定められている。
【００５３】
Ｘ線ＣＴ装置１は、Ｓ１０で選択されたエキスパートプランに基づいて被検体Ｅに対してＸ線スキャンを開始する（Ｓ１１）。また、心電計５０は、Ｓ１１におけるＸ線スキャンと並行して心電波形データを取得する（Ｓ１２）。
【００５４】
設定部４２は、Ｓ１０で選択されたエキスパートプランに基づいて、Ｓ１２で得られた心電波形データに対して所望の範囲Ｒを設定する（Ｓ１３）。
【００５５】
特定部４３は、Ｓ１３で設定された所定の範囲Ｒに含まれるタイミングで取得された検出データＤを特定する（Ｓ１４）。
【００５６】
再構成処理部４４ｂは、Ｓ１０で選択されたエキスパートプランに基づいて、Ｓ１４で特定された検出データＤに基づく投影データを再構成処理し、ＣＴ画像データを作成する（Ｓ１５）。
【００５７】
制御部４５は、Ｓ１５における再構成処理を開始させる信号に基づいて、Ｓ１３で所望の範囲Ｒが設定された心電波形データに基づく心電波形画像データと、Ｓ１５で作成されたＣＴ画像データとを関連付けて記憶部４８に記憶させる（Ｓ１６）。
【００５８】
Ｘ線スキャンの終了後、術者からの指示入力に基づき、表示制御部４６は、表示部４９にビューページＶＰを表示させる。術者が被検体Ｅの患者ＩＤ等を入力すると、表示制御部４６は、入力された患者ＩＤに対応するＣＴ画像データ及び心電波形画像データを記憶部４８から読み出す。そして、表示制御部４６は、読み出されたＣＴ画像データに基づくＣＴ画像Ｉｋ及び心電波形画像データに基づく心電波形画像Ｈを表示部４９に並べて表示させる（Ｓ１７。図４Ａ参照）。
【００５９】
なお、本実施形態では、Ｘ線ＣＴ装置１の構成について説明を行ったが、本実施形態における作用を果たす構成は、Ｘ線ＣＴ装置１に限られない。たとえば、Ｘ線ＣＴ装置１で取得された検出データや心電計５０で取得された心電波形データ等をＸ線ＣＴ装置１とは異なる装置（たとえば、画像ビューワ等の画像表示装置）に送信し、その装置内で同様の処理を行うことによって、実施形態と同様の機能を実現することができる。この場合、画像表示装置内には、少なくとも設定部４２、特定部４３、再構成処理部４４ｂ、制御部４５、表示制御部４６及び表示部４９が設けられていることが望ましい。なお、画像表示装置に設けられる制御部４５は、少なくとも再構成処理を開始させる信号に基づいて、所望の範囲Ｒが設定された心電波形データに基づく心電波形画像データと特定された検出データに基づくＣＴ画像データとを関連付けて記憶させる機能を有していればよい。また、記憶部４８は、画像表示装置内にあってもよいし、Ｘ線ＣＴ装置１内にあってもよい。或いは、外部のサーバ等を記憶部４８として機能させてもよい。
【００６０】
＜作用・効果＞
本実施形態の作用及び効果について説明する。
【００６１】
本実施形態のＸ線ＣＴ装置１は、被検体Ｅに対するＸ線スキャンを行い、検出データを取得する。Ｘ線ＣＴ装置１は、設定部４２と、特定部４３と、再構成処理部４４ｂと、制御部４５とを有する。設定部４２は、Ｘ線スキャンと並行して得られた被検体Ｅの心電波形データに対して、所望の範囲Ｒを設定する。特定部４３は、検出データのうち、所望の範囲Ｒに含まれるタイミングで取得された検出データを特定する。再構成処理部４４ｂは、特定された検出データに基づく投影データを再構成処理し、ＣＴ画像データを作成する。制御部４５は、再構成処理を開始させる信号に基づいて、所望の範囲Ｒが設定された心電波形データに基づく心電波形画像データと特定された検出データに基づくＣＴ画像データとを関連付けて記憶させる。
【００６２】
このように、制御部４５は、再構成処理を開始させる信号に基づいて、心電波形画像データとＣＴ画像データとを自動的に記憶させる。よって、術者が都度、関連付けの指示を行わなくとも、心電波形画像データとＣＴ画像データとを関連付けて保存することができる。すなわち、本実施形態におけるＸ線ＣＴ装置１によれば、ＣＴ画像データ（ＣＴ画像）と対応する心電波形データ（心電波形の画像）とを容易に関連付けることができる。従って、Ｘ線ＣＴ装置１における操作が簡便となる。
【００６３】
また、本実施形態のＸ線ＣＴ装置１は、表示制御部４６を有する。表示制御部４６は、記憶された心電波形画像データに基づく心電波形画像及び記憶されたＣＴ画像データに基づくＣＴ画像を表示部４９に併せて表示させる。
【００６４】
このように、表示制御部４６は、表示部４９に心電波形画像ＨとＣＴ画像Ｉｋとを併せて表示させる。よって、たとえば、不整脈が検出された範囲を除いた領域が所望の範囲Ｒとして示された心電波形画像をＣＴ画像と併せて観察することにより、術者は、表示されたＣＴ画像が不整脈の影響の無い検出データに基づく画像であることを確認することができる。すなわち、本実施形態におけるＸ線ＣＴ装置１によれば、ＣＴ画像及び対応する心電波形画像を併せて確認することが可能となる。
【００６５】
また、本実施形態の構成を画像表示装置に応用することも可能である。そのような画像表示装置は、設定部４２と、特定部４３と、再構成処理部４４ｂと、制御部４５と、表示制御部４６と、表示部４９とを有する。設定部４２は、被検体Ｅに対するＸ線スキャンと並行して得られた被検体Ｅの心電波形データに対して、所望の範囲Ｒを設定する。特定部４３は、Ｘ線スキャンにより取得された検出データのうち、所望の範囲Ｒに含まれるタイミングで取得された検出データを特定する。再構成処理部４４ｂは、特定された検出データに基づく投影データを再構成処理し、ＣＴ画像データを作成する。制御部４５は、再構成処理を開始させる信号に基づいて、所望の範囲Ｒが設定された心電波形データに基づく心電波形画像データと特定された検出データに基づくＣＴ画像データとを関連付けて記憶させる。表示制御部４６は、記憶された心電波形画像データに基づく心電波形画像Ｈ及び記憶されたＣＴ画像データに基づくＣＴ画像Ｉｋを表示部４９に併せて表示させる。
【００６６】
このように、Ｘ線ＣＴ装置１の外部装置においても、制御部４５は、再構成処理を開始させる信号に基づいて、心電波形画像データとＣＴ画像データとを自動的に記憶させる。よって、術者が都度、関連付けの指示を行わなくとも、心電波形画像データとＣＴ画像データとを関連付けて保存することができる。すなわち、本実施形態における画像表示装置によれば、ＣＴ画像データ（ＣＴ画像）と対応する心電波形データ（心電波形の画像）とを容易に関連付けることができる。従って、Ｘ線ＣＴ装置１における操作が簡便となる。更に、本実施形態における画像表示装置によれば、ＣＴ画像及び対応する心電波形画像を併せて確認することが可能となる。
【００６７】
（変形例１）
たとえば、Ｘ線スキャンに伴って得られる心電波形データにおいて、複数の所望の範囲Ｒｋ（ｋ＝１〜ｎ）を設定する場合がある（図６参照）。図６は、所望の範囲Ｒ１及びＲ２の２つを設定した例を示す。
【００６８】
この場合、Ｘ線ＣＴ装置１は、所望の範囲Ｒｋそれぞれに含まれるタイミングで取得された検出データＤｋ（ｋ＝１〜ｎ）に基づいてＣＴ画像データを作成し、対応する心電波形画像データと関連付けることが可能である。
【００６９】
具体的には、制御部４５は、所望の範囲Ｒｋそれぞれに含まれるタイミングで取得された検出データＤｋに基づくＣＴ画像データに対し、心電波形画像データとして、所望の範囲Ｒｋが複数設定された心電波形データのうち、ＣＴ画像データの元になった検出データＤｋが取得されたタイミングに相当する所望の範囲Ｒｋを示す心電波形データのみを関連付けて記憶させる。
【００７０】
たとえば、入力部４７からの指示入力に基づき、設定部４２が心電波形データに対して所望の範囲Ｒ１及びＲ２を設定したとする。
【００７１】
このとき、制御部４５は、所望の範囲Ｒ１に含まれるタイミングで取得された検出データＤ１に基づくＣＴ画像データに対し、所望の範囲Ｒ１を含む心電波形データ（たとえば、Ｒ波ｒ１〜Ｒ波ｒ２までの領域）を心電波形画像データとして関連付ける。
【００７２】
また、制御部４５は、所望の範囲Ｒ２に含まれるタイミングで取得された検出データＤ２に基づくＣＴ画像データに対し、所望の範囲Ｒ２を含む心電波形データ（たとえば、Ｒ波ｒ２〜Ｒ波ｒ３までの領域）を心電波形画像データとして関連付ける。
【００７３】
そして、表示制御部４６は、所望の範囲Ｒ１を含む心電波形画像データに基づく心電波形画像Ｈ１及び検出データＤ１に基づくＣＴ画像Ｉｋを表示させ、且つ所望の範囲Ｒ２を含む心電波形画像データに基づく心電波形画像Ｈ２及び検出データＤ２に基づくＣＴ画像Ｉｋ´を表示させる（図７参照）。図７に示すビューページＶＰにおいては、表示制御部４６は、表示エリアＰ２に心電波形画像Ｈ１を拡大して表示している。
【００７４】
なお、本変形例において、表示制御部４６は、所望の範囲Ｒ１を含むＲ波ｒ１−Ｒ波ｒ２間の心電波形画像データに基づく心電波形画像Ｈ１及び所望の範囲Ｒ２を含むＲ波ｒ２−Ｒ波ｒ３間の心電波形画像データに基づく心電波形画像Ｈ２を表示させている。しかし、表示される心電波形画像はこれに限られない。すなわち、心電波形画像Ｈ１（心電波形画像Ｈ２）は、少なくとも関連付けて記憶される検出データＤ１に基づくＣＴ画像データ（検出データＤ２に基づくＣＴ画像データ）に対応する所望の範囲Ｒ１（所望の範囲Ｒ２）が示されていればよい。
【００７５】
たとえば、制御部４５は、検出データＤ１に基づくＣＴ画像データに対し、所望の範囲Ｒ１を含むＲ波ｒ１〜Ｒ波ｒ３までの心電波形データを心電波形画像データとして関連付ける。一方、制御部４５は、検出データＤ２に基づくＣＴ画像データに対し、所望の範囲Ｒ２を含むＲ波ｒ１〜ｒ３までの心電波形データを心電波形画像データとして関連付ける。この場合、表示制御部４６は、所望の範囲Ｒ１を含むＲ波ｒ１−Ｒ波ｒ３間の心電波形画像データに基づく心電波形画像Ｈ１´及び所望の範囲Ｒ２を含むＲ波ｒ１−Ｒ波ｒ３間の心電波形画像データに基づく心電波形画像Ｈ２´を表示させることができる。このように同じ心電波形データを用いることにより、各ＣＴ画像データの元となった検出データが心電波形全体におけるどのタイミングで得られたものか、どのような状態（たとえば、不整脈のあり・なし）で取得されたものか等を容易に確認することが可能である。
【００７６】
（変形例２）
Ｘ線スキャンにおける心臓等の動きの影響を低減させる手法として、心電同期スキャンが存在する。心電同期スキャンは、予め取得した心電波形を用いて動きの少ない位相を指定し、その位相を含む所定範囲だけＸ線スキャン（Ｘ線の曝射）を行うことにより、被爆量を低減させつつ、動きの影響が少ないＣＴ画像データを得る方法である。この心電同期スキャンにも上記実施形態の構成を応用することができる。
【００７７】
たとえば、まず、心電計５０により被検体Ｅの心電波形データを取得する。術者は心電波形データに基づく心電波形画像を見ながら、動きの少ない領域を選択する。設定部４２は、選択された領域を所望の範囲Ｒとして設定する。すなわち、設定部４２は、被検体Ｅの心電波形データに対して、所望の範囲Ｒを設定する。
【００７８】
その後、入力部４７等を介してＸ線スキャンの開始指示がなされると、スキャン制御部４１は、Ｘ線発生部１１に対し、設定部４２で設定された所望の範囲Ｒに対応するタイミングでＸ線を発生させることにより、Ｘ線スキャンを行う。このＸ線スキャンにより取得される検出データは、所望の範囲Ｒに含まれるタイミングで取得されたデータ（検出データＤ）である。
【００７９】
再構成処理部４４ｂは、検出データＤに基づく投影データを再構成処理し、ＣＴ画像データを作成する。
【００８０】
制御部４５は、再構成処理を開始させる信号に基づいて、所望の範囲Ｒが設定された心電波形データに基づく心電波形画像データと、ＣＴ画像データとを関連付けて記憶部４８に記憶させる。
【００８１】
更に、心電同期スキャンに対応する構成であっても、術者からの指示入力に基づき、表示制御部４６は、表示部４９にビューページＶＰを表示させる。術者が被検体Ｅの患者ＩＤ等を入力すると、表示制御部４６は、入力された患者ＩＤに対応するＣＴ画像データ及び心電波形画像データを記憶部４８から読み出し、ＣＴ画像Ｉｋ及び心電波形画像Ｈを表示部４９に並べて表示させることができる。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１  Ｘ線ＣＴ装置
１０  架台装置
１１  Ｘ線発生部
１２  Ｘ線検出部
１３  回転体
１３ａ  開口部
１４  高電圧発生部
１５  架台駆動部
１６  Ｘ線絞り部
１７  絞り駆動部
１８  データ収集部
３０  寝台装置
３２  寝台駆動部
３３  寝台天板
３４  基台
４０  コンソール装置
４１  スキャン制御部
４２  設定部
４３  特定部
４４  画像処理部
４４ａ  前処理部
４４ｂ  再構成処理部
４４ｃ  レンダリング処理部
４５  制御部
４６  表示制御部
４７  入力部
４８  記憶部
４９  表示部
５０  心電計
【図１】
2014050523.tif 000003
【図２】
2014050523.tif 000004
【図３】
2014050523.tif 000005
【図４Ａ】
2014050523.tif 000006
【図４Ｂ】
2014050523.tif 000007
【図５】
2014050523.tif 000008
【図６】
2014050523.tif 000009
【図７】
2014050523.tif 000010